(57)【要約】駆動電源として太陽電池を用い、太陽光の供給が途絶えたり、復帰したりした場合に、できるだけユーザに不便を与えない再生を行うオーディオプレーヤを提供するために、オーディオプレーヤ１０は、音声データが記録されている記録媒体１００、記録媒体１００に記録された音声データを再生する再生装置１０１、記録媒体１００を読み込む再生装置１０１に電力を供給する駆動電源モジュール１０２、太陽光等を電力に変換する太陽電池１０３、再生装置１０１が再生している音声データの再生位置を示す再生位置情報を格納するメモリ１０４を備える。【特許請求の範囲】
【請求項１】
駆動電源モジュールとして太陽電池を備えた音響装置であって、
音声データが記録された記録媒体と、
前記記録媒体に記録された音声データを再生する再生手段と、
前記再生手段が再生している音声データの再生位置を示す再生位置情報を格納するためのメモリと、
前記メモリに前記再生位置情報を格納するタイミングを決定して、前記再生位置情報を前記メモリに記録する記録手段とを備え、
前記再生手段は、前記太陽電池からの電力供給が不足したときは再生を停止し、前記太陽電池からの電力供給が復帰した場合には前記メモリに記録されている前記再生位置情報に基づいて再生を再開する
ことを特徴とする音響装置。
【請求項２】
前記駆動電源モジュールは、充電池又は乾電池をさらに備え、
前記メモリは、少なくとも前記充電池又は前記乾電池からの電力供給を受ける
ことを特徴とする請求項１記載の音響装置。
【請求項３】
前記音響装置は、さらに、
前記駆動電源モジュールによって供給される電圧レベル、電流レベル、及び電力レベルの少なくとも１つを検出する検出手段を備え、
前記記録手段は、前記検出手段によって検出された値が所定値を下回った場合において、前記メモリに前記再生位置情報を記録する
ことを特徴とする請求項１記載の音響装置。
【請求項４】
前記記録手段は、前記充電池又は前記乾電池からの電力供給が不足する前に、前記メモリに、前記再生位置情報を記録する
ことを特徴とする請求項２記載の音響装置。
【請求項５】
前記再生手段は、少なくとも、前記検出手段における検出値が所定値以上の場合には第一再生モードを用いて再生を行い、前記検出手段における検出値が前記所定値未満の場合には前記第一再生モードよりも再生時の消費電力が少ない第二再生モードで再生を行う
ことを特徴とする請求項３記載の音響装置。
【請求項６】
前記第一再生モードは、再生帯域拡大技術を用いた再生であり、
前記第二再生モードは、再生帯域拡大技術を用いない再生である
ことを特徴とする請求項５記載の音響装置。
【請求項７】
前記再生帯域拡大技術を用いた再生は、ＭＰＥＧ規格ＡＡＣ＋ＳＢＲ方式の再生であり、
前記再生帯域拡大技術を用いない再生は、ＭＰＥＧ規格ＡＡＣ方式の再生である
ことを特徴とする請求項６記載の音響装置。
【請求項８】
前記第一再生モードは、低周波数成分を再生する再生であり、
前記第二再生モードは、低周波数成分を再生しない再生である
ことを特徴とする請求項５記載の音響装置。
【請求項９】
前記第一再生モードは、立体音響処理を伴った再生であり、
前記第二再生モードは、立体音響処理を伴わない再生である
ことを特徴とする請求項５記載の音響装置。
【請求項１０】
前記充電池又は前記乾電池は、前記メモリに、前記再生位置情報を格納するために必要な時間をＴとした時、前記太陽電池からの電力供給が不足したときに、少なくとも前記Ｔ時間は電力を供給できる容量を有する
ことを特徴とする請求項２記載の音響装置。
【請求項１１】
前記音響装置は、さらに、
前記太陽電池から供給される電力を充電する充電手段を備え、
前記再生手段は、前記充電手段から電力供給を受けて前記再生を行う
ことを特徴とする請求項１記載の音響装置。
【請求項１２】
前記駆動電源モジュールは、平面的に構成され、
前記太陽電池は、前記駆動電源モジュールの表裏両面に貼り付けられる
ことを特徴とする請求項１記載の音響装置。
【請求項１３】
前記駆動電源モジュールは、多面体で構成され、
前記太陽電池は、前記多面体の少なくとも１部の表面に貼り付けられる
ことを特徴とする請求項１記載の音響装置。
【請求項１４】
前記音響装置は、さらに、
前記再生手段で再生された音声データを出力するヘッドホンを有し、
前記ヘッドホンと前記再生手段とを結ぶケーブルに前記太陽電池が装着されている
ことを特徴とする請求項１記載の音響装置。
【請求項１５】
前記音響装置は、さらに、
前記再生手段で再生された音声データを出力するヘッドホンを備え、
前記太陽電池と前記ヘッドホンとは一体化するように接続されている
ことを特徴とする請求項１記載の音響装置。
【請求項１６】
前記記録媒体及び前記メモリは、不揮発性の半導体メモリである
ことを特徴とする請求項１記載の音響装置。
【請求項１７】
前記駆動電源モジュールには、光が前記太陽電池に集光して照射するための集光用レンズが取り付けられる
ことを特徴とする請求項１記載の音響装置。
【請求項１８】
前記音響装置は、さらに、
前記駆動電源モジュールを所望の位置に固定するための止め具を備える
ことを特徴とする請求項１記載の音響装置。
【請求項１９】
駆動電源用モジュールとして太陽電池を備えた音響装置における再生方法であって、
前記音響装置は、
音声データが記録された記録媒体と、
再生している音声データの再生位置を示す再生位置情報を格納するためのメモリとを備え、
前記再生方法は、
前記記録媒体に記録された音声データを再生する再生ステップと、
前記メモリに前記再生位置情報を格納するタイミングを決定して、前記再生位置情報を前記メモリに記録する記録ステップとを含み、
前記再生ステップにおいては、前記太陽電池からの電力供給が不足したときは再生を停止し、前記太陽電池からの電力供給が復帰した場合には前記メモリに記録されている前記再生位置情報に基づいて再生を再開する
ことを特徴とする再生方法。
【請求項２０】
駆動電源用モジュールとして太陽電池を備えた音響装置において使用されるプログラムであって、
前記音響装置は、
音声データが記録された記録媒体と、
再生している音声データの再生位置を示す再生位置情報を格納するためのメモリとを備え、
前記プログラムは、
前記記録媒体に記録された音声データを再生する再生ステップと、
前記メモリに前記再生位置情報を格納するタイミングを決定して、前記再生位置情  報を前記メモリに記録する記録ステップとを含み、
前記再生ステップにおいては、前記太陽電池からの電力供給が不足したときは再生を停止し、前記太陽電池からの電力供給が復帰した場合には前記メモリに記録されている前記再生位置情報に基づいて再生を再開する
ことを特徴とするプログラム。
【請求項２１】
前記請求項１記載の音響装置を置くための音響装置用置き台であって、光が前記太陽電池に集光して照射するための集光用レンズを備える
ことを特徴とする音響装置用置き台。
【発明の詳細な説明】
【技術分野】
【０００１】  本発明は、駆動電源として太陽電池を備えた音響装置に関し、特に、持ち運びが容易な携帯型オーディオプレーヤ等の音響装置に関する。
【背景技術】
【０００２】  従来、携帯型オーディオプレーヤの駆動電源は、小型の乾電池か充電池が用いられているが、近年においては、機器の省電力化技術が向上し、例えば、単４乾電池１本で数十時間の連続再生が可能なオーディオプレーヤが商品化されている。【０００３】  また、近年においては太陽光発電の技術も向上し、直射日光を照射することにより、太陽電池を用いて再生を行うことが可能な携帯型オーディオプレーヤが実現しつつあるが、例えば、音声を再生する装置の駆動電源としてこれを用いるような特許出願がなされている（例えば、特許文献１、特許文献２参照）。【０００４】  上記特許文献１においては、太陽電池と、当該太陽電池によって充電される充電式バッテリーとを駆動電源として音声を出力するソーラーバッテリー式音声ガイド装置が開示されている。【０００５】  また、上記特許文献２においては、オーディオプレーヤを帽子と一体化し、太陽電池を当該帽子のつばの部分に組み込み、当該太陽電池を駆動電源として用いる帽子一体型音響装置が開示されている。
【特許文献１】特開２００２−５１４８０号公報
【特許文献２】特開２００２−２９１０８４号公報
【発明の開示】
【発明が解決しようとする課題】
【０００６】  しかしながら、上記特許文献１の構成では、電力供給が途絶えた後、機器の動作を再開した場合、電力供給が途絶えた時の再生状態が失われてしまうので、電力供給が途絶えた時の状態から再生を再開することができない。即ち、ひとたび電力供給が不足すると、それが復帰した場合でも、今まで聴いていた楽曲の続きから聴くことができない。特に、太陽電池を駆動電源として用いている場合には、電力供給状態が乾電池や充電池などに比べて不安定であるので、上記によってユーザが再生使用時に被る不便は甚だしい。【０００７】  また、上記特許文献２のような構成では、音響装置の外観の柔軟性がないので、太陽光の供給を効率的に受けるためには、帽子のつばを太陽の方向に向けなくてはならないという課題がある。即ち、一定の太陽光を受けるためには帽子のつばの方向を常に意識する必要があり、例えば、朝、東向きに歩いているときは良いが、夕方、東向きに歩いているときは、帽子を逆向きにかぶる等、ユーザの当該音響装置の使用時における利便性の面での問題がある。【０００８】  本発明は、このような従来の問題点に鑑みてなされたものであって、駆動電源として太陽電池を用い、いったん電力の供給が不足して再生が停止した場合でも、再度電力の供給が復活した際に、電力の供給が不足した再生時点から再生できる音響装置を提供することを第一の目的とする。【０００９】  また、太陽光の受光が少なくなる等により電力の供給が不足しかかった場合において、再生品質を制御して、できるだけ音切れを防止することができる音響装置を提供することを第二の目的とする。【００１０】  さらに、駆動電源として太陽電池を用いながらも外観の柔軟性をもった音響装置を提供することを第三の目的とする。
【課題を解決するための手段】
【００１１】  上記の課題を解決するため、本発明に係る音響装置は、駆動電源モジュールとして太陽電池を備えた音響装置であって、音声データが記録された記録媒体と、前記記録媒体に記録された音声データを再生する再生手段と、前記再生手段が再生している音声データの再生位置を示す再生位置情報を格納するメモリと、前記メモリに前記再生位置情報を格納するタイミングを決定して、前記再生位置情報を前記メモリに記録する記録手段とを備え、前記再生手段は、前記太陽電池からの電力供給が不足したときは再生を停止し、前記太陽電池からの電力供給が復帰した場合には前記メモリに記録されている前記再生位置情報に基づいて再生を再開することを特徴とする。【００１２】  この構成により、再生手段は電力供給が不足したときは再生を停止し、電力供給が復帰した場合、再生手段はメモリに格納されている再生位置情報を読み込むことにより、再生が停止した時点からの再生を再開することができる。【００１３】  また、本発明に係る音響装置の前記駆動電源モジュールは、充電池又は乾電池をさらに備え、前記メモリは、少なくとも前記充電池又は前記乾電池からの電力供給を受けることを特徴とする。【００１４】  この構成により、記録手段によりメモリに記録される再生位置情報が充電池又は乾電池によって保持される。【００１５】  また、本発明に係る音響装置は、さらに、前記駆動電源モジュールによって供給される電圧レベル、電流レベル、及び電力レベルの少なくとも１つを検出する検出手段を備え、前記記録手段は、前記検出手段によって検出された値が所定値を下回った場合において、前記メモリに前記再生位置情報を記録することを特徴とする。【００１６】  この構成により、記録手段は、検出手段において電力供給が不足したと検出された場合のみ、メモリに再生位置情報を格納すれば良い。【００１７】  また、本発明に係る音響装置が備える記録手段は、前記充電池又は前記乾電池からの電力供給が不足する前に、前記メモリに、前記再生位置情報を記録することを特徴とする。【００１８】  この構成により、充電池又は乾電池からの電力供給がある間に、メモリに再生位置情報が記録される。【００１９】  また、本発明に係る音響装置が備える再生手段は、少なくとも、前記検出手段における検出値が所定値以上の場合には第一再生モードを用いて再生を行い、前記検出手段における検出値が前記所定値未満の場合には前記第一再生モードよりも再生時の消費電力が少ない第二再生モードで再生を行うことを特徴とする。【００２０】  この構成により、再生手段は、通常再生モードである第一再生モードと省電力再生である第二再生モードの２モードにおいて再生を行うことができ、電力供給が不足の場合でも、音切れをできるだけ防止することが可能となる。【００２１】  また、本発明に係る音響装置の前記第一再生モードは、再生帯域拡大技術を用いた再生であり、前記第二再生モードは、再生帯域拡大技術を用いない再生であることを特徴とする。さらに、前記再生帯域拡大技術を用いた再生は、ＭＰＥＧ規格ＡＡＣ＋ＳＢＲ方式の再生であり、前記再生帯域拡大技術を用いない再生は、ＭＰＥＧ規格ＡＡＣ方式の再生であることを特徴とする。【００２２】  これらの構成により、電力供給が不足の場合、高域の再生をしない再生帯域拡大技術を用いて再生することで音切れをできるだけ防止することができ、また、電力供給が不足する場合においては、ＡＡＣ＋ＳＢＲ方式でなくＡＡＣ方式の再生にすることで音切れをできるだけ防止することができる。【００２３】  また、本発明に係る音響装置の前記第一再生モードは、低周波数成分を再生する再生であり、前記第二再生モードは、低周波数成分を再生しない再生であることを特徴とする。【００２４】  この構成により、電力供給が不足の場合において、低周波成分を再生しないことで、再生時に音切れをできるだけ防止することができる。【００２５】  また、本発明に係る音響装置の前記第一再生モードは、立体音響処理を伴った再生であり、前記第二再生モードは、立体音響処理を伴わない再生であることを特徴とする。【００２６】  この構成により、電力供給が不足の場合において、立体音響処理を伴った再生をしないことで、再生時の音切れをできるだけ防止することができる。【００２７】  また、本発明に係る音響装置が備える充電池又は乾電池は、前記メモリに、前記再生位置情報を格納するために必要な時間をＴとした時、前記太陽電池からの電力供給が不足したときに、少なくとも前記Ｔ時間は電力を供給できる容量を有することを特徴とする。【００２８】  この構成により、音響装置に使用する充電池又は乾電池の容量を極めて小容量とすることが可能となる。【００２９】  また、本発明に係る音響装置は、さらに、前記太陽電池から供給される電力を充電する充電手段を備え、前記再生手段は、前記充電手段から電力供給を受けて前記再生を行うことを特徴とする。【００３０】  この構成により、再生装置が充電手段からの電力供給を受けるので、駆動電源モジュールとして太陽電池を用いる場合においても、安定した再生が行えることとなる。【００３１】  また、本発明に係る音響装置の前記駆動電源モジュールは、平面的に構成され、前記太陽電池は、前記駆動電源モジュールの表裏両面に貼り付けられることを特徴とする。さらに、本発明に係る音響装置の前記駆動電源モジュールは、多面体で構成され、前記太陽電池は、前記多面体の少なくとも１部の表面に貼り付けられることを特徴とする。【００３２】  これらの構成により、平面的又は多面的に構成された電源モジュールの表面に太陽電池が配置されているので、集光効率が高まることとなる。【００３３】  また、本発明に係る音響装置は、さらに、前記再生手段で再生された音声データを出力するヘッドホンを有し、前記ヘッドホンと前記再生手段とを結ぶケーブルに前記太陽電池が装着されていることを特徴とする。【００３４】  この構成により、ヘッドホンのケーブルに取り付けられた太陽電池を移動させることによって、太陽光の供給を受け易くすることができる。【００３５】  また、本発明にかかる音響装置は、さらに、前記再生手段で再生された音声データを出力するヘッドホンを備え、前記太陽電池と前記ヘッドホンとは一体化するように接続されていることを特徴とする。【００３６】  この構成により、ヘッドホン装着時、太陽電池が耳元或いは頭部に露出するので、太陽電池は電力供給を受け易くなる。【００��７】  また、本発明に係る音響装置の前記記録媒体及び前記メモリは、不揮発性の半導体メモリであることを特徴とする。【００３８】  この構成により、記録媒体に不揮発性の半導体メモリを用いることにより小型化できる。また、メモリは、不揮発性の半導体メモリを用いることにより電力供給不足が長時間続いた場合でも、メモリに記録されている再生位置情報が失われず、再生手段はメモリを読み込むことにより、再生停止した再生位置からの再生を復帰することができる。【００３９】  また、本発明に係る音響装置は、さらに、前記駆動電源モジュールを所望の位置に固定するための止め具を備えることを特徴とする。【００４０】  この構成により、止め具により太陽電池を所望の位置に固定でき、さらに太陽電池に対しての集光効率を高くすることが可能となる。【００４１】  尚、前記目的を達成するために、本発明は、音響装置の特徴的な手段をステップとする再生方法として実現したり、コンピュータに各ステップを実行させるためのプログラムとして実現することもできる。そのようなプログラムは、ＣＤ−ＲＯＭ等の記録媒体やインターネット等の伝送媒体を通じて配信することができるのは言うまでもない。
【発明の効果】
【００４２】  本発明に係る音響装置は、太陽電池を用いながらも、電力供給が不足した時においても、
停止した再生位置からの再生を開始したり、再生モードを変更することで再生状態を確保することが可能となる。【００４３】  また、太陽電池を様々な形状や形態として、携帯型オーディオプレーヤ等の音響装置においても集光効率を向上させて電力供給を行うことが可能となる。
【図面の簡単な説明】
【００４４】［図１］図１は実施の形態１に係るオーディオプレーヤの外観図。
［図２］図２は実施の形態１におけるオーディオプレーヤの構成を示す図。
［図３］図３は実施の形態１に係るオーディオプレーヤの再生時における動作手順を示すフローチャート。
［図４］図４はオーディオプレーヤが太陽電池からの電力を充電するための充電池を備えている場合の機能ブロック図。
［図５］図５は実施の形態１に係るオーディオプレーヤの機能構成図。
［図６］図６は実施の形態１に係るオーディオプレーヤの構成の変形例。
［図７］図７はケーブルに止め具を備えたオーディオプレーヤの参考図。
［図８］図８（ａ）は円筒形の多面体の胴の部分に太陽電池が張り付けられている参考図。図８（ｂ）は立方体の表面に太陽電池が張り付けられている参考図。
［図９］図９（ａ）は太陽電池の表面に取り外し可能に装着される集光レンズの説明図。図９（ｂ）は実施の形態１に係るオーディオプレーヤ専用置き台の外観図。
［図１０］図１０は実施の形態２におけるオーディオプレーヤの機能構成を示す図。
［図１１］図１１は実施の形態２の記録媒体に記録される音声データのデータ構成図。
［図１２］図１２は実施の形態２に係るオーディオプレーヤの再生動作手順を示すフローチャート。
【符号の説明】
【００４５】  １０−１４  オーディオプレーヤ
１００  記録媒体
１０１  再生装置
１０２  駆動電源モジュール
１０３  太陽電池
１０４  メモリ
１０５  充電池
１０６  検出装置
１０７  ヘッドホン
６０１  ケーブル
７０１  止め具
７０２，７０３  太陽電池
９０１  集光レンズ
９０３  オーディオプレーヤ専用置き台
【発明を実施するための最良の形態】
【００４６】  以下、本発明の実施の形態におけるオーディオプレーヤについて図面を参照しながら説明する。
（実施の形態１）
図１は、本実施の形態１に係るオーディオプレーヤ１０の外観図を示す。【００４７】  オーディオプレーヤ１０は、駆動電源として太陽電池を備えており、太陽電池からの電力供給により音楽等の再生処理を行う装置である。【００４８】  図２は、本実施の形態１におけるオーディオプレーヤ１０の機能構成を示す図である。
オーディオプレーヤ１０は、駆動電源として太陽電池を用いて音楽等を再生する音響装置であって、音声データが記録されている記録媒体１００、記録媒体１００に記録された音声データを再生する再生装置１０１、再生装置１０１に電力を供給する駆動電源モジュール１０２、太陽光等を電力に変換する太陽電池１０３、再生装置１０１が再生している音声データの再生位置を示す再生位置情報を格納するメモリ１０４を備える。【００４９】  以上のように構成されたオーディオプレーヤ１０の動作について以下説明する。図３は、本実施の形態１に係るオーディオプレーヤ１０の再生時における動作手順を示すフローチャートである。尚、記録媒体１００には、音源としての音声データが格納されている。記録媒体１００は、例えば半導体メモリカードであり、音声データはデジタル的に圧縮符号化された信号であることが、機器の小型化、低コスト化のために好ましい。また、記録媒体１００はハードディスクや光ディスク等のディスク媒体でもよく、音声信号は非圧縮のＰＣＭ信号でもよい。【００５０】  まず、再生装置１０１は、記録媒体１００に記録された音声データを読み出し、再生する（Ｓ３０１）。例えば、再生装置１０１から記録媒体１００に対し、音声データを逐次読み出すためのアドレスを送出し、該アドレスに基づいて読み出された音声データを再生装置１０１が受け取り音声データを再生する。【００５１】  ここで、音声データが圧縮符号化された信号の場合は、再生装置１０１は、圧縮符号化された信号を復号化する。例えば、ＡＡＣ（Ａｄｖａｎｃｅｄ  Ａｕｄｉｏ  Ｃｏｄｉｎｇ）方式で圧縮符号化された信号であれば、ＡＡＣの復号化手順（ＩＳＯ１３８１８−７）に従って復号化する。勿論、必ずしもＡＡＣである必要はなく、ＭＰ３等の方式でもよいし、非圧縮のＰＣＭ信号でもよい。【００５２】  さらに、再生装置１０１は、再生している音声データの再生位置を示す再生位置情報を、逐次、メモリ１０４に記録する（Ｓ３０２）。ここで再生位置情報は、例えば、再生装置１０１が、記録媒体１００から音声データを読み出しているアドレス、或いは、当該アドレスと関連付けられている符号（タグ情報など）でよい。或いは、現在再生しているコンテンツの（音楽データの場合は曲の）識別記号でもよい。【００５３】  一方、駆動電源モジュール１０２は、太陽電池１０３を有しており、記録媒体１００、再生装置１０１、メモリ１０３に電力を供給する。【００５４】  ここで、駆動電源は、太陽電池であるので、その電力供給量は、必ずしも常に安定しているわけではなく、光量によって変動するので、突然オーディオプレーヤの動作が停止してしまう恐れがある。逆に、非常に短時間に電力供給量が復帰する可能性もある。【００５５】  そして、電力不足で再生が停止して（Ｓ３０３でＹ）、そのご電力供給が復帰した場合には（Ｓ３０４でＹ）、その場合、先ほどまで聴いていた音声データの続きを（或いは先ほどまで聴いていた音声データの先頭から）再生するために、再生装置１０１は、メモリ１０４に記録されている再生位置情報を取得し（Ｓ３０５）、当該再生位置情報に基づいて、音声データの再生を続行する（Ｓ３０６）。この場合、勿論、メモリ１０４は、例えばフラッシュメモリ等の電力供給が停止してもデータを保持し続けられる不揮発性のメモリであることが望ましいが、下記の図４に示すような構成でもよい。尚、電力不足が生じない場合（Ｓ３０３でＮ）には、Ｓ３０２の再生位置情報をメモリに逐次記録する処理を行い、電力不足が生じても電力供給が復帰しない場合においては（Ｓ３０４でＮ）、再生は再開しないために処理を終了する。【００５６】  図４は、オーディオプレーヤ１１が太陽電池１０３からの電力を充電するための充電池１０５を備えている場合の機能ブロック図である。【００５７】  即ち、図４における駆動電源モジュール１０２が、充電池１０５も内蔵しており、太陽電池１０３からの発電量が不足した場合は、充電池１０５によって、メモリ１０４の再生位置情報を保持することができる。勿論、充電池１０５から供給される電力は、記録媒体１００、再生装置１０１に供給され、太陽電池１０３からの発電量が不足した場合でも再生を続行するように構成してもよい。また、充電池１０５は、乾電池などでもよいことは言うまでもない。【００５８】  また、本実施の形態では、メモリ１０４に常に再生位置情報を格納する処理を行っていたが、図５に示すオーディオプレーヤ１２のように、駆動電源モジュール１０２によって供給される電圧レベル、電流レベル、或いは電力レベルを検出する検出装置１０６を備え、検出装置１０６によって検出された電力値が所定の電力値を下回った場合においてのみ、メモリ１０４に再生位置情報を格納するようにしてもよい。この構成により、図２に示すオーディオプレーヤ１０のように、電力供給状態に関係なく再生位置情報を常にメモリ１０４に書き込む処理を行う必要がなくなる。【００５９】  また、この構成の場合は、充電池１０５の容量は、最低限、メモリ１０４に再生位置情報を書き込む時間だけ電力を供給できる能力があればよいため、極めて安価で小容量の充電池で良いこととなる。【００６０】  また、上記説明したようなオーディオプレーヤは、ヘッドホンと組み合わせて携帯機器として用いられる場合があり、図６は、本実施の形態１に係るオーディオプレーヤ１３の構成の変形例を示している。【００６１】  図６に示すように、太陽光を効率的に受光するには、ヘッドホン１０７と再生装置１０１とを結ぶケーブル６０１に駆動電源モジュール１０２及び太陽電池１０３を装着することが望ましい。ケーブル６０１は、ヘッドホン装着時でも位置の変更が容易であるので、駆動電源モジュール１０２を太陽光を受けやすい方向に適宜移動でき、効率的に太陽光による電力の供給を受けることが可能となる。【００６２】  図７は、ケーブル６０１に止め具７０１を備えたオーディオプレーヤの参考図を示している。このように、太陽光を受けやすい方向に駆動電源モジュール１０２を固定するための止め具７０１を備えるため、例えばネクタイピンによってネクタイの位置を固定するように止め具７０１によって駆動電源モジュール１０２を固定してもよい。この構成により、太陽電池６０１に対してより効率的に太陽光の集光を行うことが可能となる。【００６３】  さらに、駆動電源モジュール１０２を、平面的に構成し、表裏両面に太陽パネルを配置することによ��て、集光の効率を上げてもよい。図８は、本実施の形態に係るオーディオプレーヤに備えられる太陽電池の様々な形状を説明するための参考図である。【００６４】  本図において、駆動電源モジュールを多面体で構成し、その少なくとも一部の表面に太陽パネルを配置することによって、集光の効率を上げてもよい。図８（ａ）は、円筒形の多面体の胴の部分に太陽電池７０２が張り付けられている参考図を示している。図８（ｂ）は、立方体の表面に太陽電池７０３が張り付けられている参考図を示している。勿論、これ以外にも太陽電池の形状をダイヤモンド形の立体にするなど、集光効率と外観のよさを併せ持つ形状にすることも可能であることは言うまでもない。【００６５】  図９は、太陽電池への集光効率を向上させるための集光レンズを備える駆動電源モジュールの参考図である。【００６６】  図９（ａ）は、太陽電池１０３の表面に取り外し可能に装着される集光レンズ９０１の説明図である。集光レンズ９０１は、太陽電池１０３に固定具９０２を用いて固定され、光を太陽パネルに集光する位置に取り付けられる。即ち、オーディオプレーヤを使用しているときや使用していないときにおいて、集光レンズ９０１を用いることにより太陽光を効率的に太陽電池に集光して充電効率を向上させることができる。【００６７】  また、図９（ｂ）は、本実施の形態１に係るオーディオプレーヤの専用置き台の外観図を示している。専用置き台９０３には、太陽光の集光効率を向上させるための集光レンズ９０３ａが備えられており、不使用時においてオーディオプレーヤを収納凹部９０３ｂに載置しておくことにより、効率的に太陽電池に充電することが可能となる。【００６８】  以上の説明のように、本実施の形態に係るオーディオプレーヤは、音声信号の再生位置情報を記録するメモリ１０４を設けることによって、電力供給が一旦不足した後に復帰した際は、当該再生位置情報に基づいて再生を再開させることで、リスナーは電力供給が途切れた後復帰した際、音声データの続きから聴くことができることができ、できるだけリスナーに不便を与えないこととできる。【００６９】  また、本実施の形態に係るオーディオプレーヤは、電力レベルを検出して、所定の電力レベルを下回った場合においてのみ再生位置をメモリ１０４に記録するようにするため、再生位置情報を逐次記録する必要がなくなり、より効率的に電力の消費を行うことが可能となる。【００７０】  さらに、本発明に係るオーディオプレーヤが備える太陽電池の形状を平面的や立体的な多面体にすることにより、太陽光の供給を受けやすい外観を備えたオーディオプレーヤとして、集光効率を向上させて、より効率的に太陽電源を用いる事が可能となる。
（実施の形態２）
以下、本発明の実施の形態２におけるオーディオプレーヤについて図面を参照しながら説明する。尚、本実施の形態２に係るオーディオプレーヤは、電力レベルを検出する検出装置を備え、再生装置では検出装置において検出された電力レベルに応じた再生モードにより再生を行うことを特徴とする。【００７１】  図１０は本実施の形態２におけるオーディオプレーヤ１４の機能構成を示す図である。
オーディオプレーヤ１４を構成する記録媒体１００には音声データが記録され、再生装置１０１は記録媒体１００に記録された音声データを再生する。駆動電源モジュール１０２は太陽電池１０３からの電力を再生装置１０１及び検出装置１０６に供給する。太陽電池１０３は太陽光を電力に変換する。検出装置１０６は再生装置１０１に供給される電圧レベル、電流レベル、或いは電力レベルを検出する。【００７２】  図１１は、本実施の形態２の記録媒体１００に記録される音声データ１１００のデータ構成図を示している。【００７３】  ここで記録媒体１００には、ＭＰＥＧ規格ＡＡＣ＋ＳＢＲ（Ｓｐｅｃｔｒａｌ  Ｂａｎｄ  Ｒｅｐｌｉｃａｔｉｏｎ）方式で符号化された音声データ１１００が記録されているものとする。ＡＡＣ＋ＳＢＲ方式は、国際標準規格ＭＰＥＧ（ＩＳＯ／ＩＥＣ１４４９６−３）で規格化された方式で、図１１に示すように、従来のＡＡＣ方式（ＩＳＯ／ＩＥＣ１３８１８−７）の音声データの再生帯域を拡大するような補助情報がＡＡＣの符号化データとともに記録された方式である。図７の網掛けの部分が従来のＡＡＣ部の音声デー久網掛けでない部分が再生帯域を拡大するような補助情報、即ちＳＢＲ部の音声データである。再生装置１０１は、前記ＡＡＣ＋ＳＢＲ方式の音声データから、ＡＡＣ部のみを取り出して再生する機能と、ＡＡＣ部とＳＢＲ部とを取り出して再生する機能とを備えている。【００７４】  以上のように構成されたオーディオプレーヤ１４の動作について以下説明する。
図１２は、本実施の形態２に係るオーディオプレーヤ１４の再生動作手順を示すフローチャートである。【００７５】  まず、記録媒体１００には、音源としてのＡＡＣ＋ＳＢＲ方式の音声データが格納されている。記録媒体１００は、例えば半導体メモリカード、音声データはデジタル的に圧縮符号化された信号であることが、機器の小型化、低コスト化のためにふさわしいが、ハードディスクや光ディスク等のディスク媒体でも良い。【００７６】  そして、再生装置１０１は、記録媒体１００に記録された音声データを読み出し、再生する（Ｓ１２０１）。例えば、再生装置１０１から記録媒体１００に対し、音声データを逐次読み出すためのアドレスを送出し、該アドレスに基づいて読み出された音声データを再生装置１０１が受け取り音声データを再生する。【００７７】  ここで、音声データが圧縮符号化された信号の場合は、再生装置１０１は、圧縮符号化された信号を復号化する。本実施の形態２においては、音声データは、ＡＡＣ＋ＳＢＲ方式の音声データであるので、再生装置１０１は、ＡＡＣ部のみを取り出してＡＡＣデータを復号化するか、ＡＡＣ部とＳＢＲ部双方を取り出して、ＡＡＣ＋ＳＢＲデータを復号するかの選択肢がある。このどちらを選択するかは、検出装置１０６の状態によって後述のように決定される。【００７８】  一方、駆動電源モジュール１０２は、太陽電池１０３を有しており、記録媒体１００、再生装置１０１に電力を供給するが、その電力供給量は、逐次、検出装置１０６によって検出されている。【００７９】  さてここで、検出装置１０６による検出値が所定の値より大きい時は（Ｓ１２０３でＮ）、再生装置１０１は、ＡＡＣ＋ＳＢＲデータを復号し（Ｓ１２０４）、検出装置１０６による検出値が小さい時は（Ｓ１２０３でＹ）、再生装置１０１は、ＡＡＣ部のみを復号するようにする（Ｓ１２０５）。ＡＡＣ＋ＳＢＲデータを復号するために必要な電力は、ＡＡＣ部のみを復号するために必要な電力より大きいので、太陽電池からの電力供給が少なくなったときはＡＡＣ部のみを復号するように制御するのである。【００８０】  以上の説明のように、本実施の形態２に係るオーディオプレーヤは、駆動電源モジュール１０２からの電力供給が十分な場合は、ＡＡＣ＋ＳＢＲデータを復号して広帯域な再生音を聴くことができ、逆に駆動電源モジュール１０２からの電力供給が不十分な場合は、ＡＡＣ部のみを復号して狭帯域な再生音になるが、電力不足による音切れを防止することができることとなる。【００８１】  そして、駆動電源モジュール１０２からの電力供給が十分な場合は広帯域な再生で、駆動電源モジュール１０２からの電力供給が不十分な場合は、狭帯域な再生として、電力不足による音切れを防止することを述べたが、その他にも、駆動電源モジュール１０２からの電力供給が十分な場合は複数チャネル再生で、駆動電源モジュール１０２からの電力供給が不十分な場合は、ステレオ再生や、モノラル再生など、もともとの再生チャネル数より少ないチャネル数の再生としても、電力不足による音切れを防止することができる。【００８２】  また、駆動電源モジュール１０２からの電力供給が十分な場合は立体音響の処理を施した再生で、駆動電��モジュール１０２からの電力供給が不十分な場合は、立体音響の処理を施さない再生としても、電力不足による音切れを防止することができる。【００８３】  さらに、駆動電源モジュール１０２からの電力供給が十分な場合は重低音を強調した再生で、駆動電源モジュール１０２からの電力供給が不十分な場合は、重低音を強調しない再生としても、電力不足による音切れを防止することができる。【００８４】  さらにまた、駆動電源モジュール１０２からの電力供給が不十分な場合は十分な場合より重低音の振幅を小さくする制御を施す再生をしても、電力不足による音切れを防止することができる。【００８５】  このように、本実施の形態２に係るオーディオプレーヤ１４は、電力レベルを検出する検出装置１０６を備えて、太陽光の供給が不足した場合等の検出値に応じて、再生品質を制御することができ、再生時の音切れ等を効率的に防止することができる。【００８６】  尚、上述の各実施の形態においては、音響装置として携帯型のオーディオプレーヤを用いて説明を行ったが、音響装置はこれに限定されるものではなく、太陽電池を用いて音声データを再生する機能を有する音響装置であれば良い。
【産業上の利用可能性】
【００８７】  本発明にかかる音響装置は、太陽電池を駆動電源とする携帯型オーディオプレーヤ等、特に小型化が必要な携帯機器に応用できる。
【図１】
2005043540.tif 000002
【図２】
2005043540.tif 000003
【図３】
2005043540.tif 000004
【図４】
2005043540.tif 000005
【図５】
2005043540.tif 000006
【図６】
2005043540.tif 000007
【図７】
2005043540.tif 000008
【図８】
2005043540.tif 000009
【図９】
2005043540.tif 000010
【図１０】
2005043540.tif 000011
【図１１】
2005043540.tif 000012
【図１２】
2005043540.tif 000013
【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
駆動電源モジュールとして太陽電池を備えた音響装置であって、
音声データが記録された記録媒体と、
前記記録媒体に記録された音声データを再生する再生手段と、
前記再生手段が再生している音声データの再生位置を示す再生位置情報を格納するためのメモリと、
前記メモリに前記再生位置情報を格納するタイミングを決定して、前記再生位置情報を前記メモリに記録する記録手段と、
前記メモリと前記記録手段とに電力を供給する充電池とを備え、
前記再生手段は、前記太陽電池からの電力供給が不足したときは再生を停止し、前記太陽電池からの電力供給が復帰した場合には前記メモリに記録されている前記再生位置情報に基づいて再生を再開する
ことを特徴とする音響装置。
【請求項２】
前記メモリに前記再生位置情報を格納するために必要な時間をＴとした時、前記充電池は、前記太陽電池からの電力供給が不足したときに、少なくとも前記Ｔ時間は電力を供給する
ことを特徴とする請求項１記載の音響装置。
【請求項３】
前記充電池は、前記再生手段に電力を供給しない
ことを特徴とする請求項１又は２記載の音響装置。
【請求項４】
前記音響装置は、さらに、
前記駆動電源モジュールによって供給される電圧レベル、電流レベル、及び電力レベルの少なくとも１つを検出する検出手段を備え、
前記記録手段は、前記検出手段によって検出された値が所定値を下回った場合において、前記メモリに前記再生位置情報を記録する
ことを特徴とする請求項１記載の音響装置。
【請求項５】
前記再生手段は、少なくとも、前記検出手段における検出値が所定値以上の場合には第一再生モードを用いて再生を行い、前記検出手段における検出値が前記所定値未満の場合には前記第一再生モードよりも再生時の消費電力が少ない第二再生モードで再生を行う
ことを特徴とする請求項４記載の音響装置。
【請求項６】
前記第一再生モードは、再生帯域拡大技術を用いた再生であり、
前記第二再生モードは、再生帯域拡大技術を用いない再生である
ことを特徴とする請求項５記載の音響装置。
【請求項７】
前記再生帯域拡大技術を用いた再生は、ＭＰＥＧ規格ＡＡＣ＋ＳＢＲ方式の再生であり、
前記再生帯域拡大技術を用いない再生は、ＭＰＥＧ規格ＡＡＣ方式の再生である
ことを特徴とする請求項６記載の音響装置。
【請求項８】
前記第一再生モードは、低周波数成分を再生する再生であり、
前記第二再生モードは、低周波数成分を再生しない再生である
ことを特徴とする請求項５記載の音響装置。
【請求項９】
前記第一再生モードは、立体音響処理を伴った再生であり、
前記第二再生モードは、立体音響処理を伴わない再生である
ことを特徴とする請求項５記載の音響装置。
【請求項１０】
前記音響装置は、さらに、
前記太陽電池から供給される電力を充電する充電手段を備え、
前記再生手段は、前記充電手段から電力供給を受けて前記再生を行う
ことを特徴とする請求項１記載の音響装置。
【請求項１１】
前記駆動電源モジュールは、平面的に構成され、
前記太陽電池は、前記駆動電源モジュールの表裏両面に貼り付けられる
ことを特徴とする請求項１記載の音響装置。
【請求項１２】
前記駆動電源モジュールは、多面体で構成され、
前記太陽電池は、前記多面体の少なくとも１部の表面に貼り付けられる
ことを特徴とする請求項１記載の音響装置。
【請求項１３】
前記音響装置は、さらに、
前記再生手段で再生された音声データを出力するヘッドホンを有し、
前記ヘッドホンと前記再生手段とを結ぶケーブルに前記太陽電池が装着されている
ことを特徴とする請求項１記載の音響装置。
【請求項１４】
前記音響装置は、さらに、
前記再生手段で再生された音声データを出力するヘッドホンを備え、
前記太陽電池と前記ヘッドホンとは一体化するように接続されている
ことを特徴とする請求項１記載の音響装置。
【請求項１５】
前記記録媒体及び前記メモリは、不揮発性の半導体メモリである
ことを特徴とする請求項１記載の音響装置。
【請求項１６】
前記駆動電源モジュールには、光が前記太陽電池に集光して照射するための集光用レンズが取り付けられる
ことを特徴とする請求項１記載の音響装置。
【請求項１７】
前記音響装置は、さらに、
前記駆動電源モジュールを所望の位置に固定するための止め具を備える
ことを特徴とする請求項１記載の音響装置。
【請求項１８】
駆動電源用モジュールとして太陽電池を備えた音響装置における再生方法であって、
前記音響装置は、
音声データが記録された記録媒体と、
再生している音声データの再生位置を示す再生位置情報を格納するためのメモリと、
前記メモリと前記記録手段とに電力を供給する充電池とを備え、
前記再生方法は、
前記記録媒体に記録された音声データを再生する再生ステップと、
前記メモリに前記再生位置情報を格納するタイミングを決定して、前記再生位置情報を前記メモリに記録する記録ステップとを含み、
前記再生ステップにおいては、前記太陽電池からの電力供給が不足したときは再生を停止し、前記太陽電池からの電力供給が復帰した場合には前記メモリに記録されている前記再生位置情報に基づいて再生を再開する
ことを特徴とする再生方法。
【請求項１９】
駆動電源用モジュールとして太陽電池を備えた音響装置において使用されるプログラムであって、
前記音響装置は、
音声データが記録された記録媒体と、
再生している音声データの再生位置を示す再生位置情報を格納するためのメモリと、
前記メモリと前記記録手段とに電力を供給する充電池とを備え、
前記プログラムは、
前記記録媒体に記録された音声データを再生する再生ステップと、
前記メモリに前記再生位置情報を格納するタイミングを決定して、前記再生位置情報を前記メモリに記録する記録ステップとを含み、
前記再生ステップにおいては、前記太陽電池からの電力供給が不足したときは再生を停止し、前記太陽電池からの電力供給が復帰した場合には前記メモリに記録されている前記再生位置情報に基づいて再生を再開する
ことを特徴とするプログラム。
【請求項２０】
前記請求項１記載の音響装置を置くための音響装置用置き台であって、光が前記太陽電池に集光して照射するための集光用レンズを備える
ことを特徴とする音響装置用置き台。
【手続補正２】
【補正対象書類名】明細書
【補正対象項目名】全文
【補正方法】変更
【補正の内容】
【発明の詳細な説明】
【技術分野】
【０００１】
本発明は、駆動電源として太陽電池を備えた音響装置に関し、特に、持ち運びが容易な携帯型オーディオプレーヤ等の音響装置に関する。
【背景技術】
【０００２】
従来、携帯型オーディオプレーヤの駆動電源は、小型の乾電池か充電池が用いられているが、近年においては、機器の省電力化技術が向上し、例えば、単４乾電池１本で数十時間の連続再生が可能なオーディオプレーヤが商品化されている。
【０００３】
また、近年においては太陽光発電の技術も向上し、直射日光を照射することにより、太陽電池を用いて再生を行うことが可能な携帯型オーディオプレーヤが実現しつつあるが、例えば、音声を再生する装置の駆動電源としてこれを用いるような特許出願がなされている（例えば、特許文献１、特許文献２参照）。
【０００４】
上記特許文献１においては、太陽電池と、当該太陽電池によって充電される充電式バッテリーとを駆動電源として音声を出力するソーラーバッテリー式音声ガイド装置が開示されている。
【０００５】
また、上記特許文献２においては、オーディオプレーヤを帽子と一体化し、太陽電池を当該帽子のつばの部分に組み込み、当該太陽電池を駆動電源として用いる帽子一体型音響装置が開示されている。
【特許文献１】特開２００２−５１４８０号公報
【特許文献２】特開２００２−２９１０８４号公報
【発明の開示】
【発明が解決しようとする課題】
【０００６】
しかしながら、上記特許文献１の構成では、電力供給が途絶えた後、機器の動作を再開した場合、電力供給が途絶えた時の再生状態が失われてしまうので、電力供給が途絶えた時の状態から再生を再開することができない。即ち、ひとたび電力供給が不足すると、それが復帰した場合でも、今まで聴いていた楽曲の続きから聴くことができない。特に、太陽電池を駆動電源として用いている場合には、電力供給状態が乾電池や充電池などに比べて不安定であるので、上記によってユーザが再生使用時に被る不便は甚だしい。
【０００７】
また、上記特許文献２のような構成では、音響装置の外観の柔軟性がないので、太陽光の供給を効率的に受けるためには、帽子のつばを太陽の方向に向けなくてはならないという課題がある。即ち、一定の太陽光を受けるためには帽子のつばの方向を常に意識する必要があり、例えば、朝、東向きに歩いているときは良いが、夕方、東向きに歩いているときは、帽子を逆向きにかぶる等、ユーザの当該音響装置の使用時における利便性の面での問題がある。
【０００８】
本発明は、このような従来の問題点に鑑みてなされたものであって、駆動電源として太陽電池を用い、いったん電力の供給が不足して再生が停止した場合でも、再度電力の供給が復活した際に、電力の供給が不足した再生時点から再生できる音響装置を提供することを第一の目的とする。
【０００９】
また、太陽光の受光が少なくなる等により電力の供給が不足しかかった場合において、再生品質を制御して、できるだけ音切れを防止することができる音響装置を提供することを第二の目的とする。
【００１０】
さらに、駆動電源として太陽電池を用いながらも外観の柔軟性をもった音響装置を提供することを第三の目的とする。
【課題を解決するための手段】
【００１１】
上記の課題を解決するため、本発明に係る音響装置は、駆動電源モジュールとして太陽電池を備えた音響装置であって、音声データが記録された記録媒体と、前記記録媒体に記録された音声データを再生する再生手段と、前記再生手段が再生している音声データの再生位置を示す再生位置情報を格納するためのメモリと、前記メモリに前記再生位置情報を格納するタイミングを決定して、前記再生位置情報を前記メモリに記録する記録手段と、前記メモリと前記記録手段とに電力を供給する充電池とを備え、前記再生手段は、前記太陽電池からの電力供給が不足したときは再生を停止し、前記太陽電池からの電力供給が復帰した場合には前記メモリに記録されている前記再生位置情報に基づいて再生を再開することを特徴とする。
【００１２】
この構成により、再生手段は電力供給が不足したときは再生を停止し、電力供給が復帰した場合、再生手段はメモリに格納されている再生位置情報を読み込むことにより、再生が停止した時点からの再生を再開することができる。
【００１３】
また、本発明に係る音響装置において前記メモリに前記再生位置情報を格納するために必要な時間をＴとした時、前記充電池は、前記太陽電池からの電力供給が不足したときに、少なくとも前記Ｔ時間は電力を供給することを特徴とする。
【００１４】
この構成により、音響装置に使用する充電池又は乾電池の容量を極めて小容量とすることが可能となる。
【００１５】
さらに、本発明に係る音響装置の前記充電池は、前記再生手段に電力を供給しないことを特徴とする。
【００１６】
この構成により、音響装置に使用する充電池を非常に小さくすることが可能となる。
また、本発明に係る音響装置は、さらに、前記駆動電源モジュールによって供給される電圧レベル、電流レベル、及び電力レベルの少なくとも１つを検出する検出手段を備え、前記記録手段は、前記検出手段によって検出された値が所定値を下回った場合において、前記メモリに前記再生位置情報を記録することを特徴とする。
【００１７】
この構成により、記録手段は、検出手段において電力供給が不足したと検出された場合のみ、メモリに再生位置情報を格納すれば良い。
【００１８】
また、本発明に係る音響装置が備える記録手段は、前記充電池又は前記乾電池からの電力供給が不足する前に、前記メモリに、前記再生位置情報を記録することを特徴とする。
【００１９】
この構成により、充電池又は乾電池からの電力供給がある間に、メモリに再生位置情報が記録される。
【００２０】
また、本発明に係る音響装置が備える再生手段は、少なくとも、前記検出手段における検出値が所定値以上の場合には第一再生モードを用いて再生を行い、前記検出手段における検出値が前記所定値未満の場合には前記第一再生モードよりも再生時の消費電力が少ない第二再生モードで再生を行うことを特徴とする。
【００２１】
この構成により、再生手段は、通常再生モードである第一再生モードと省電力再生である第二再生モードの２モードにおいて再生を行うことができ、電力供給が不足の場合でも、音切れをできるだけ防止することが可能となる。
【００２２】
また、本発明に係る音響装置の前記第一再生モードは、再生帯域拡大技術を用いた再生であり、前記第二再生モードは、再生帯域拡大技術を用いない再生であることを特徴とする。さらに、前記再生帯域拡大技術を用いた再生は、ＭＰＥＧ規格ＡＡＣ＋ＳＢＲ方式の再生であり、前記再生帯域拡大技術を用いない再生は、ＭＰＥＧ規格ＡＡＣ方式の再生であることを特徴とする。
【００２３】
これらの構成により、電力供給が不足の場合、高域の再生をしない再生帯域拡大技術を用いて再生することで音切れをできるだけ防止することができ、また、電力供給が不足する場合においては、ＡＡＣ＋ＳＢＲ方式でなくＡＡＣ方式の再生にすることで音切れをできるだけ防止することができる。
【００２４】
また、本発明に係る音響装置の前記第一再生モードは、低周波数成分を再生する再生であり、前記第二再生モードは、低周波数成分を再生しない再生であることを特徴とする。
【００２５】
この構成により、電力供給が不足の場合において、低周波成分を再生しないことで、再生時に音切れをできるだけ防止することができる。
【００２６】
また、本発明に係る音響装置の前記第一再生モードは、立体音響処理を伴った再生であり、前記第二再生モードは、立体音響処理を伴わない再生であることを特徴とする。
【００２７】
この構成により、電力供給が不足の場合において、立体音響処理を伴った再生をしないことで、再生時の音切れをできるだけ防止することができる。
【００２８】
また、本発明に係る音響装置は、さらに、前記太陽電池から供給される電力を充電する充電手段を備え、前記再生手段は、前記充電手段から電力供給を受けて前記再生を行うことを特徴とする。
【００２９】
この構成により、再生装置が充電手段からの電力供給を受けるので、駆動電源モジュールとして太陽電池を用いる場合においても、安定した再生が行えることとなる。
【００３０】
また、本発明に係る音響装置の前記駆動電源モジュールは、平面的に構成され、前記太陽電池は、前記駆動電源モジュールの表裏両面に貼り付けられることを特徴とする。さらに、本発明に係る音響装置の前記駆動電源モジュールは、多面体で構成され、前記太陽電池は、前記多面体の少なくとも１部の表面に貼り付けられることを特徴とする。
【００３１】
これらの構成により、平面的又は多面的に構成された電源モジュールの表面に太陽電池が配置されているので、集光効率が高まることとなる。
【００３２】
また、本発明に係る音響装置は、さらに、前記再生手段で再生された音声データを出力するヘッドホンを有し、前記ヘッドホンと前記再生手段とを結ぶケーブルに前記太陽電池が装着されていることを特徴とする。
【００３３】
この構成により、ヘッドホンのケーブルに取り付けられた太陽電池を移動させることによって、太陽光の供給を受け易くすることができる。
【００３４】
また、本発明にかかる音響装置は、さらに、前記再生手段で再生された音声データを出力するヘッドホンを備え、前記太陽電池と前記ヘッドホンとは一体化するように接続されていることを特徴とする。
【００３５】
この構成により、ヘッドホン装着時、太陽電池が耳元或いは頭部に露出するので、太陽電池は電力供給を受け易くなる。
【００３６】
また、本発明に係る音響装置の前記記録媒体及び前記メモリは、不揮発性の半導体メモリであることを特徴とする。
【００３７】
この構成により、記録媒体に不揮発性の半導体メモリを用いることにより小型化できる。また、メモリは、不揮発性の半導体メモリを用いることにより電力供給不足が長時間続いた場合でも、メモリに記録されている再生位置情報が失われず、再生手段はメモリを読み込むことにより、再生停止した再生位置からの再生を復帰することができる。
【００３８】
また、本発明に係る音響装置は、さらに、前記駆動電源モジュールを所望の位置に固定するための止め具を備えることを特徴とする。
【００３９】
この構成により、止め具により太陽電池を所望の位置に固定でき、さらに太陽電池に対しての集光効率を高くすることが可能となる。
【００４０】
尚、前記目的を達成するために、本発明は、音響装置の特徴的な手段をステップとする再生方法として実現したり、コンピュータに各ステップを実行させるためのプログラムとして実現することもできる。そのようなプログラムは、ＣＤ−ＲＯＭ等の記録媒体やインターネット等の伝送媒体を通じて配信することができるのは言うまでもない。
【発明の効果】
【００４１】
本発明に係る音響装置は、太陽電池を用いながらも、電力供給が不足した時においても、
停止した再生位置からの再生を開始したり、再生モードを変更することで再生状態を確保することが可能となる。
【００４２】
また、太陽電池を様々な形状や形態として、携帯型オーディオプレーヤ等の音響装置においても集光効率を向上させて電力供給を行うことが可能となる。
【発明を実施するための最良の形態】
【００４３】
以下、本発明の実施の形態におけるオーディオプレーヤについて図面を参照しながら説明する。
（実施の形態１）
図１は、本実施の形態１に係るオーディオプレーヤ１０の外観図を示す。
【００４４】
オーディオプレーヤ１０は、駆動電源として太陽電池を備えており、太陽電池からの電力供給により音楽等の再生処理を行う装置である。
【００４５】
図２は、本実施の形態１におけるオーディオプレーヤ１０の機能構成を示す図である。
オーディオプレーヤ１０は、駆動電源として太陽電池を用いて音楽等を再生する音響装置であって、音声データが記録されている記録媒体１００、記録媒体１００に記録された音声データを再生する再生装置１０１、再生装置１０１に電力を供給する駆動電源モジュール１０２、太陽光等を電力に変換する太陽電池１０３、再生装置１０１が再生している音声データの再生位置を示す再生位置情報を格納するメモリ１０４を備える。
【００４６】
以上のように構成されたオーディオプレーヤ１０の動作について以下説明する。図３は、本実施の形態１に係るオーディオプレーヤ１０の再生時における動作手順を示すフローチャートである。尚、記録媒体１００には、音源としての音声データが格納されている。記録媒体１００は、例えば半導体メモリカードであり、音声データはデジタル的に圧縮符号化された信号であることが、機器の小型化、低コスト化のために好ましい。また、記録媒体１００はハードディスクや光ディスク等のディスク媒体でもよく、音声信号は非圧縮のＰＣＭ信号でもよい。
【００４７】
まず、再生装置１０１は、記録媒体１００に記録された音声データを読み出し、再生する（Ｓ３０１）。例えば、再生装置１０１から記録媒体１００に対し、音声データを逐次読み出すためのアドレスを送出し、該アドレスに基づいて読み出された音声データを再生装置１０１が受け取り音声データを再生する。
【００４８】
ここで、音声データが圧縮符号化された信号の場合は、再生装置１０１は、圧縮符号化された信号を復号化する。例えば、ＡＡＣ（Advanced Audio Coding）方式で圧縮符号化された信号であれば、ＡＡＣの復号化手順（ＩＳＯ１３８１８−７）に従って復号化する。勿論、必ずしもＡＡＣである必要はなく、ＭＰ３等の方式でもよいし、非圧縮のＰＣＭ信号でもよい。
【００４９】
さらに、再生装置１０１は、再生している音声データの再生位置を示す再生位置情報を、逐次、メモリ１０４に記録する（Ｓ３０２）。ここで再生位置情報は、例えば、再生装置１０１が、記録媒体１００から音声データを読み出しているアドレス、或いは、当該アドレスと関連付けられている符号（タグ情報など）でよい。或いは、現在再生しているコンテンツの（音楽データの場合は曲の）識別記号でもよい。
【００５０】
一方、駆動電源モジュール１０２は、太陽電池１０３を有しており、記録媒体１００、再生装置１０１、メモリ１０３に電力を供給する。
【００５１】
ここで、駆動電源は、太陽電池であるので、その電力供給量は、必ずしも常に安定しているわけではなく、光量によって変動するので、突然オーディオプレーヤの動作が停止してしまう恐れがある。逆に、非常に短時間に電力供給量が復帰する可能性もある。
【００５２】
そして、電力不足で再生が停止して（Ｓ３０３でＹ）、そのご電力供給が復帰した場合には（Ｓ３０４でＹ）、その場合、先ほどまで聴いていた音声データの続きを（或いは先ほどまで聴いていた音声データの先頭から）再生するために、再生装置１０１は、メモリ１０４に記録されている再生位置情報を取得し（Ｓ３０５）、当該再生位置情報に基づいて、音声データの再生を続行する（Ｓ３０６）。この場合、勿論、メモリ１０４は、例えばフラッシュメモリ等の電力供給が停止してもデータを保持し続けられる不揮発性のメモリであることが望ましいが、下記の図４に示すような構成でもよい。尚、電力不足が生じない場合（Ｓ３０３でＮ）には、Ｓ３０２の再生位置情報をメモリに逐次記録する処理を行い、電力不足が生じても電力供給が復帰しない場合においては（Ｓ３０４でＮ）、再生は再開しないために処理を終了する。
【００５３】
図４は、オーディオプレーヤ１１が太陽電池１０３からの電力を充電するための充電池１０５を備えている場合の機能ブロック図である。
【００５４】
即ち、図４における駆動電源モジュール１０２が、充電池１０５も内蔵しており、太陽電池１０３からの発電量が不足した場合は、充電池１０５によって、メモリ１０４の再生位置情報を保持することができる。勿論、充電池１０５から供給される電力は、記録媒体１００、再生装置１０１に供給され、太陽電池１０３からの発電量が不足した場合でも再生を続行するように構成してもよい。また、充電池１０５は、乾電池などでもよいことは言うまでもない。
【００５５】
また、本実施の形態では、メモリ１０４に常に再生位置情報を格納する処理を行っていたが、図５に示すオーディオプレーヤ１２のように、駆動電源モジュール１０２によって供給される電圧レベル、電流レベル、或いは電力レベルを検出する検出装置１０６を備え、検出装置１０６によって検出された電力値が所定の電力値を下回った場合においてのみ、メモリ１０４に再生位置情報を格納するようにしてもよい。この構成により、図２に示すオーディオプレーヤ１０のように、電力供給状態に関係なく再生位置情報を常にメモリ１０４に書き込む処理を行う必要がなくなる。
【００５６】
また、この構成の場合は、充電池１０５の容量は、最低限、メモリ１０４に再生位置情報を書き込む時間だけ電力を供給できる能力があればよいため、極めて安価で小容量の充電池で良いこととなる。
【００５７】
また、上記説明したようなオーディオプレーヤは、ヘッドホンと組み合わせて携帯機器として用いられる場合があり、図６は、本実施の形態１に係るオーディオプレーヤ１３の構成の変形例を示している。
【００５８】
図６に示すように、太陽光を効率的に受光するには、ヘッドホン１０７と再生装置１０１とを結ぶケーブル６０１に駆動電源モジュール１０２及び太陽電池１０３を装着することが望ましい。ケーブル６０１は、ヘッドホン装着時でも位置の変更が容易であるので、駆動電源モジュール１０２を太陽光を受けやすい方向に適宜移動でき、効率的に太陽光による電力の供給を受けることが可能となる。
【００５９】
図７は、ケーブル６０１に止め具７０１を備えたオーディオプレーヤの参考図を示している。このように、太陽光を受けやすい方向に駆動電源モジュール１０２を固定するための止め具７０１を備えるため、例えばネクタイピンによってネクタイの位置を固定するように止め具７０１によって駆動電源モジュール１０２を固定してもよい。この構成により、太陽電池６０１に対してより効率的に太陽光の集光を行うことが可能となる。
【００６０】
さらに、駆動電源モジュール１０２を、平面的に構成し、表裏両面に太陽パネルを配置することによって、集光の効率を上げてもよい。図８は、本実施の形態に係るオーディオプレーヤに備えられる太陽電池の様々な形状を説明するための参考図である。
【００６１】
本図において、駆動電源モジュールを多面体で構成し、その少なくとも一部の表面に太陽パネルを配置することによって、集光の効率を上げてもよい。図８（ａ）は、円筒形の多面体の胴の部分に太陽電池７０２が張り付けられている参考図を示している。図８（ｂ）は、立方体の表面に太陽電池７０３が張り付けられている参考図を示している。勿論、これ以外にも太陽電池の形状をダイヤモンド形の立体にするなど、集光効率と外観のよさを併せ持つ形状にすることも可能であることは言うまでもない。
【００６２】
図９は、太陽電池への集光効率を向上させるための集光レンズを備える駆動電源モジュールの参考図である。
【００６３】
図９（ａ）は、太陽電池１０３の表面に取り外し可能に装着される集光レンズ９０１の説明図である。集光レンズ９０１は、太陽電池１０３に固定具９０２を用いて固定され、光を太陽パネルに集光する位置に取り付けられる。即ち、オーディオプレーヤを使用しているときや使用していないときにおいて、集光レンズ９０１を用いることにより太陽光を効率的に太陽電池に集光して充電効率を向上させることができる。
【００６４】
また、図９（ｂ）は、本実施の形態１に係るオーディオプレーヤの専用置き台の外観図を示している。専用置き台９０３には、太陽光の集光効率を向上させるための集光レンズ９０３ａが備えられており、不使用時においてオーディオプレーヤを収納凹部９０３ｂに載置しておくことにより、効率的に太陽電池に充電することが可能となる。
【００６５】
以上の説明のように、本実施の形態に係るオーディオプレーヤは、音声信号の再生位置情報を記録するメモリ１０４を設けることによって、電力供給が一旦不足した後に復帰した際は、当該再生位置情報に基づいて再生を再開させることで、リスナーは電力供給が途切れた後復帰した際、音声データの続きから聴くことができることができ、できるだけリスナーに不便を与えないこととできる。
【００６６】
また、本実施の形態に係るオーディオプレーヤは、電力レベルを検出して、所定の電力レベルを下回った場合においてのみ再生位置をメモリ１０４に記録するようにするため、再生位置情報を逐次記録する必要がなくなり、より効率的に電力の消費を行うことが可能となる。
【００６７】
さらに、本発明に係るオーディオプレーヤが備える太陽電池の形状を平面的や立体的な多面体にすることにより、太陽光の供給を受けやすい外観を備えたオーディオプレーヤとして、集光効率を向上させて、より効率的に太陽電源を用いる事が可能となる。
（実施の形態２）
以下、本発明の実施の形態２におけるオーディオプレーヤについて図面を参照しながら説明する。尚、本実施の形態２に係るオーディオプレーヤは、電力レベルを検出する検出装置を備え、再生装置では検出装置において検出された電力レベルに応じた再生モードにより再生を行うことを特徴とする。
【００６８】
図１０は本実施の形態２におけるオーディオプレーヤ１４の機能構成を示す図である。
オーディオプレーヤ１４を構成する記録媒体１００には音声データが記録され、再生装置１０１は記録媒体１００に記録された音声データを再生する。駆動電源モジュール１０２は太陽電池１０３からの電力を再生装置１０１及び検出装置１０６に供給する。太陽電池１０３は太陽光を電力に変換する。検出装置１０６は再生装置１０１に供給される電圧レベル、電流レベル、或いは電力レベルを検出する。
【００６９】
図１１は、本実施の形態２の記録媒体１００に記録される音声データ１１００のデータ構成図を示している。
【００７０】
ここで記録媒体１００には、ＭＰＥＧ規格ＡＡＣ＋ＳＢＲ(Spectral Band Replication)方式で符号化された音声データ１１００が記録されているものとする。ＡＡＣ＋ＳＢＲ方式は、国際標準規格ＭＰＥＧ（ＩＳＯ／ＩＥＣ１４４９６−３）で規格化された方式で、図１１に示すように、従来のＡＡＣ方式（ＩＳＯ／ＩＥＣ１３８１８−７）の音声データの再生帯域を拡大するような補助情報がＡＡＣの符号化データとともに記録された方式である。図７の網掛けの部分が従来のＡＡＣ部の音声データ、網掛けでない部分が再生帯域を拡大するような補助情報、即ちＳＢＲ部の音声データである。再生装置１０１は、前記ＡＡＣ＋ＳＢＲ方式の音声データから、ＡＡＣ部のみを取り出して再生する機能と、ＡＡＣ部とＳＢＲ部とを取り出して再生する機能とを備えている。
【００７１】
以上のように構成されたオーディオプレーヤ１４の動作について以下説明する。
図１２は、本実施の形態２に係るオーディオプレーヤ１４の再生動作手順を示すフローチャートである。
【００７２】
まず、記録媒体１００には、音源としてのＡＡＣ＋ＳＢＲ方式の音声データが格納されている。記録媒体１００は、例えば半導体メモリカード、音声データはデジタル的に圧縮符号化された信号であることが、機器の小型化、低コスト化のためにふさわしいが、ハードディスクや光ディスク等のディスク媒体でも良い。
【００７３】
そして、再生装置１０１は、記録媒体１００に記録された音声データを読み出し、再生する（Ｓ１２０１）。例えば、再生装置１０１から記録媒体１００に対し、音声データを逐次読み出すためのアドレスを送出し、該アドレスに基づいて読み出された音声データを再生装置１０１が受け取り音声データを再生する。
【００７４】
ここで、音声データが圧縮符号化された信号の場合は、再生装置１０１は、圧縮符号化された信号を復号化する。本実施の形態２においては、音声データは、ＡＡＣ＋ＳＢＲ方式の音声データであるので、再生装置１０１は、ＡＡＣ部のみを取り出してＡＡＣデータを復号化するか、ＡＡＣ部とＳＢＲ部双方を取り出して、ＡＡＣ＋ＳＢＲデータを復号するかの選択肢がある。このどちらを選択するかは、検出装置１０６の状態によって後述のように決定される。
【００７５】
一方、駆動電源モジュール１０２は、太陽電池１０３を有しており、記録媒体１００、再生装置１０１に電力を供給するが、その電力供給量は、逐次、検出装置１０６によって検出されている。
【００７６】
さてここで、検出装置１０６による検出値が所定の値より大きい時は（Ｓ１２０３でＮ）、再生装置１０１は、ＡＡＣ＋ＳＢＲデータを復号し（Ｓ１２０４）、検出装置１０６による検出値が小さい時は（Ｓ１２０３でＹ）、再生装置１０１は、ＡＡＣ部のみを復号するようにする（Ｓ１２０５）。ＡＡＣ＋ＳＢＲデータを復号するために必要な電力は、ＡＡＣ部のみを復号するために必要な電力より大きいので、太陽電池からの電力供給が少なくなったときはＡＡＣ部のみを復号するように制御するのである。
【００７７】
以上の説明のように、本実施の形態２に係るオーディオプレーヤは、駆動電源モジュール１０２からの電力供給が十分な場合は、ＡＡＣ＋ＳＢＲデータを復号して広帯域な再生音を聴くことができ、逆に駆動電源モジュール１０２からの電力供給が不十分な場合は、ＡＡＣ部のみを復号して狭帯域な再生音になるが、電力不足による音切れを防止することができることとなる。
【００７８】
そして、駆動電源モジュール１０２からの電力供給が十分な場合は広帯域な再生で、駆動電源モジュール１０２からの電力供給が不十分な場合は、狭帯域な再生として、電力不足による音切れを防止することを述べたが、その他にも、駆動電源モジュール１０２からの電力供給が十分な場合は複数チャネル再生で、駆動電源モジュール１０２からの電力供給が不十分な場合は、ステレオ再生や、モノラル再生など、もともとの再生チャネル数より少ないチャネル数の再生としても、電力不足による音切れを防止することができる。
【００７９】
また、駆動電源モジュール１０２からの電力供給が十分な場合は立体音響の処理を施した再生で、駆動電源モジュール１０２からの電力供給が不十分な場合は、立体音響の処理を施さない再生としても、電力不足による音切れを防止することができる。
【００８０】
さらに、駆動電源モジュール１０２からの電力供給が十分な場合は重低音を強調した再生で、駆動電源モジュール１０２からの電力供給が不十分な場合は、重低音を強調しない再生としても、電力不足による音切れを防止することができる。
【００８１】
さらにまた、駆動電源モジュール１０２からの電力供給が不十分な場合は十分な場合より重低音の振幅を小さくする制御を施す再生をしても、電力不足による音切れを防止することができる。
【００８２】
このように、本実施の形態２に係るオーディオプレーヤ１４は、電力レベルを検出する検出装置１０６を備えて、太陽光の供給が不足した場合等の検出値に応じて、再生品質を制御することができ、再生時の音切れ等を効率的に防止することができる。
【００８３】
尚、上述の各実施の形態においては、音響装置として携帯型のオーディオプレーヤを用いて説明を行ったが、音響装置はこれに限定されるものではなく、太陽電池を用いて音声データを再生する機能を有する音響装置であれば良い。
【産業上の利用可能性】
【００８４】
本発明にかかる音響装置は、太陽電池を駆動電源とする携帯型オーディオプレーヤ等、特に小型化が必要な携帯機器に応用できる。
【図面の簡単な説明】
【００８５】
【図１】図１は実施の形態１に係るオーディオプレーヤの外観図。
【図２】図２は実施の形態１におけるオーディオプレーヤの構成を示す図。
【図３】図３は実施の形態１に係るオーディオプレーヤの再生時における動作手順を示すフローチャート。
【図４】図４はオーディオプレーヤが太陽電池からの電力を充電するための充電池を備えている場合の機能ブロック図。
【図５】図５は実施の形態１に係るオーディオプレーヤの機能構成図。
【図６】図６は実施の形態１に係るオーディオプレーヤの構成の変形例。
【図７】図７はケーブルに止め具を備えたオーディオプレーヤの参考図。
【図８】図８（ａ）は円筒形の多面体の胴の部分に太陽電池が張り付けられている参考図。図８（ｂ）は立方体の表面に太陽電池が張り付けられている参考図。
【図９】図９（ａ）は太陽電池の表面に取り外し可能に装着される集光レンズの説明図。図９（ｂ）は実施の形態１に係るオーディオプレーヤ専用置き台の外観図。
【図１０】図１０は実施の形態２におけるオーディオプレーヤの機能構成を示す図。
【図１１】図１１は実施の形態２の記録媒体に記録される音声データのデータ構成図。
【図１２】図１２は実施の形態２に係るオーディオプレーヤの再生動作手順を示すフローチャート。
【符号の説明】
【００８６】
１０〜１４  オーディオプレーヤ
１００  記録媒体
１０１  再生装置
１０２  駆動電源モジュール
１０３  太陽電池
１０４  メモリ
１０５  充電池
１０６  検出装置
１０７  ヘッドホン
６０１  ケーブル
７０１  止め具
７０２，７０３  太陽電池
９０１  集光レンズ
９０３  オーディオプレーヤ専用置き台
【手続補正３】
【補正対象書類名】図面
【補正対象項目名】全図
【補正方法】変更
【補正の内容】
【図１】
2005043540.tif 000014
【図２】
2005043540.tif 000015
【図３】
2005043540.tif 000016
【図４】
2005043540.tif 000017
【図５】
2005043540.tif 000018
【図６】
2005043540.tif 000019
【図７】
2005043540.tif 000020
【図８】
2005043540.tif 000021
【図９】
2005043540.tif 000022
【図１０】
2005043540.tif 000023
【図１１】
2005043540.tif 000024
【図１２】
2005043540.tif 000025
【国際調査報告】
2005043540.tif 000026
2005043540.tif 000027
2005043540.tif 000028
2005043540.tif 000029
2005043540.tif 000030
2005043540.tif 000031
2005043540.tif 000032